(57)【要約】【課題】吹出しノズルから噴出される空気の温度ムラを無くすことができる手乾燥装置を提供することを目的とする。【解決手段】使用者の手に空気を吹き付けて乾燥させる手乾燥装置であって、空気流を発生させる空気流発生手段を内部に有する本体箱体と、前記空気流を手に吹付ける吹出しノズルと、前記空気流発生手段と前記吹出しノズルとを連絡する空気流路と、前記空気流を加熱する加熱手段と、前記加熱手段に給電を行う電源部と、を備え、前記加熱手段は、正面視で左右方向の一方側から他方側に亘って前記空気流路内に設けられる発熱部と、前記発熱部から突設した、前記電源部からの給電を受ける接続端子と、を備え、前記接続端子の全体が、正面視において、前記発熱部の左端を通る仮想鉛直線と右端を通る仮想鉛直線との間に収まっている手乾燥装置。【選択図】図４
2014090814.tif 000002
【特許請求の範囲】
【請求項１】
使用者の手に空気を吹き付けて乾燥させる手乾燥装置であって、
空気流を発生させる空気流発生手段を内部に有する本体箱体と、
前記空気流を手に吹付ける吹出しノズルと、
前記空気流発生手段と前記吹出しノズルとを連絡する空気流路と、
前記空気流を加熱する加熱手段と、
前記加熱手段に給電を行う電源部と、を備え、
前記加熱手段は、
正面視で左右方向の一方側から他方側に亘って前記空気流路内に設けられる発熱部と、
前記発熱部から突設した、前記電源部からの給電を受ける接続端子と、を備え、
前記接続端子の全体が、正面視において、前記発熱部の左端を通る仮想鉛直線と右端を通る仮想鉛直線との間に収まっている手乾燥装置。
【請求項２】
前記接続端子は、前記発熱部から前記空気流発生手段に向かって突設されている請求項１記載の手乾燥装置。
【請求項３】
前記発熱部は、前記空気流路内の左右方向の幅全域に亘って設置されている請求項１又は２に記載の手乾燥装置。
【発明の詳細な説明】
【技術分野】
【０００１】
本発明の態様は、使用者の手に空気を吹き付けて乾燥させる手乾燥装置に関する。
【背景技術】
【０００２】
近年、特に公共のトイレ等においては、手洗い後に手に付着している水を拭き取るためのペーパータオルを削減する傾向が強まっており、ペーパータオルの代わりに手乾燥装置を設置する場合が増えている。このような手乾燥装置は、洗面ボウルが配置されている場所からは少し離れた洗面カウンター上の壁面や、洗面カウンターから離れたトイレ空間の壁面等に設置されている場合が多い（下記特許文献１参照）。
【０００３】
下記特許文献１において提案されている手乾燥装置では、手を手乾燥室の開口凹部内へ挿入し、開口凹部内に設けられたセンサーが手を検知すると、手乾燥室の上方に設けられた複数の吹出しノズルから加熱手段によって熱せられた空気圧が吹き付けられ、手に付着していた水滴を飛ばすようになっている。
【先行技術文献】
【特許文献】
【０００４】
【特許文献１】特開２００３−２７５１３２号公報
【発明の概要】
【発明が解決しようとする課題】
【０００５】
しかしながら、従来の手乾燥装置では、加熱手段に、電源部から給電を受ける接続端子が左右方向に設置されており、空気流路内の左右方向全域を覆うことができなかった。そのため、接続端子の下方に位置する吹出しノズルから噴出される空気は加熱されずに冷たいまま噴出されていた。具体的には、図６、７に示すように加熱手段であるヒーター２０８の左右の側面のどちらかに接続端子２２０が左右方向に向かって突設されていたので、接続端子２２０の下方に位置する吹出しノズル２１０から出る空気は暖められずに冷たいままであった。そのため使用者は吹出しノズル２１０の位置によって温度ムラを感じるという問題があった。この問題は特に冬や寒冷地において顕著であった。なお本願明細書の左右方向とは図２（a）のように、手乾燥装置を正面から見た時の左右の方向である。
【０００６】
本発明はこのような課題に鑑みてなされたものであり、その目的は、吹出しノズルから噴出される空気の温度ムラを無くすことができる手乾燥装置を提供することにある。
【課題を解決するための手段】
【０００７】
上記課題を解決するために本発明に係る手乾燥装置は、使用者の手に空気を吹き付けて乾燥させる手乾燥装置であって、空気流を発生させる空気流発生手段を内部に有する本体箱体と、前記空気流を手に吹付ける吹出しノズルと、前記空気流発生手段と前記吹出しノズルとを連絡する空気流路と、前記空気流を加熱する加熱手段と、前記加熱手段に給電を行う電源部と、を備え、前記加熱手段は、正面視で左右方向の一方側から他方側に亘って前記空気流路内に設けられる発熱部と、前記発熱部から突設した、前記電源部からの給電を受ける接続端子と、を備え、前記接続端子の全体が、正面視において、前記発熱部の左端を通る仮想鉛直線と右端を通る仮想鉛直線との間に収まっている。
【０００８】
このように構成された発明によれば、従来の接続端子部分を加熱手段とすることで、吹出しノズルから噴出される空気の温度ムラを低減することができる。
【０００９】
本発明において、好ましくは、前記接続端子は、前記発熱部から前記空気発生手段に向かって突設されている。
【００１０】
このように構成された発明によれば、接続端子を発熱部から空気発生手段に向かって突設することにより、吹出しノズルと加熱手段の距離を近づけ、熱エネルギーを無駄にせず、より効率的に加熱された空気流を手に吹付けることができ、使用者は良好な温風によって手を乾燥できる。
【００１１】
本発明において、好ましくは、前記発熱部は、前記空気流路内の左右方向の幅全域に亘って設置されている。
【００１２】
このように構成された発明によれば、加熱手段が空気流路内の左右方向の幅全域に亘って設置されているので、吹出しノズルから噴出される前に、空気流は確実に加熱手段を通る。よって加熱手段によって暖められた空気流を吹出しノズルから噴出し手に吹きつけることができ、より温度ムラを無くすことができる。
【発明の効果】
【００１３】
本発明の態様によれば、吹出しノズルから噴出される空気流の温度ムラのない手乾燥装置が提供される。
【図面の簡単な説明】
【００１４】
【図１】本発明の実施の形態にかかる手乾燥装置を例示する斜視模式図
【図２】（ａ）本発明の実施の形態にかかる手乾燥装置の正面図                          （ｂ）本発明の実施の形態にかかる手乾燥装置のＡ−Ａ断面図
【図３】（ａ）本発明の実施の形態にかかる手乾燥装置の側面図                          （ｂ）本発明の実施の形態にかかる手乾燥装置のＢ−Ｂ断面図
【図４】図３の加熱手段付近の拡大図である。
【図５】本発明の実施の形態にかかる吹出しノズルに設置した加熱手段の上面図
【図６】従来の吹出しノズルに設置した加熱手段の上面図
【図７】従来加熱手段の正面図
【発明を実施するための形態】
【００１５】
以下、本発明の実施の形態について図面を参照しつつ説明する。なお、各図面中、同様の構成要素には同一の符号を付して詳細な説明は適宜省略する。図１は、本発明の実施の形態にかかる手乾燥装置を例示する斜視模式図である。図１に示すように、本発明の手乾燥装置１００は建築物のトイレ洗面空間などの壁面に設置するもので、手乾燥装置１００は床面から離隔して設置する。本体箱体１０２は手乾燥装置１００の外郭を構成するもので、手乾燥装置１００の正面に開放し、残りの５方の壁を有する箱体である。手乾燥装置１００の上側の略半分は、正面側に表面カバー１０４を有し、手乾燥装置１００の下端側には水受けトレイ１０６を有する。表面カバー１０４と水受けトレイ１０６の間には、本体箱体１０２の正面に開口した空間である手乾燥室１１０を有する。手乾燥室１１０の底部には水受け部１０８を有する。
【００１６】
図２、３に示すように、表面カバー１０４と本体箱体１０２の間には、機能部２００を備える。機能部２００には、外部の空気を吸い込む吸込口２０２、空気中の塵やゴミを取り除くフィルター２０４、空気流を発生させる空気流発生手段であるファンユニット２０６、空気流を加熱する加熱手段は、発熱部であるヒーター２０８と接続端子２２０にて構成され、空気流を噴出する吹出しノズル２１０を連通して有する。吹出しノズル２１０は、複数のノズル孔２１０ａを有し、ノズル孔２１０ａから暖められた空気は噴出される。なお吹出しノズルの左右方向の幅は複数並んでいるノズル孔２１０ａの端から端までであり、空気流が噴出する長手方向の幅である。また、フィルター２０４は手乾燥室１１０上部後方に設けられたフィルター取っ手２０４ａを引っ張ることで取り外すことが可能であり、フィルター２０４の清掃が容易である。またファンユニット２０６は、モーターで羽根車を回転させて空気流を発生させている。
【００１７】
また、機能部２００には、人体検知手段であるセンサー２１２、制御部２１４を有する。センサー２１２が手乾燥室２に差し込まれた使用者の手を検出すると、センサー２１２の検出結果を受けた制御部２１４がファンユニット２０６を駆動し、センサー２１２が使用者の手を検知しなくなると、センサー２１２の非検出結果を受けた制御部２１４がファンユニット２０６を停止する。制御部２１４は、ファンユニット２０６と同期してヒーター２０８を駆動・停止する。ファンユニット２０６とヒーター２０８は電源部２１８からの電気の供給で駆動している。制御部２１４と電源部２１８は、制御基板２１３に配置されている。
【００１８】
手乾燥室に手を挿入し、センサー２１２が手を検知すると、ファンユニット２０６が作動する。すると吸込口２０２から空気が吸い込まれる。吸い込まれた空気はフィルター２０４を通ってファンユニット吸込口２０２からファンユニット２０６の内部に吸い込まれ、ファンユニット２０６の内部で加圧された空気が、ファンユニット２０６の排気口から排出される。排出された空気流は吹出しノズル２１０に導かれる空気流路２１６を通り、空気流路２１６途中に、左右方向において、空気流路２１６内の一方側から他方側に亘って設けられたヒーター２０８を通って暖められ、空気流が吹出しノズル２１０から手乾燥室１１０に吹き出す構成である。また、吹出しノズル２１０は手乾燥室１１０の上部正面側に配設され、空気流の噴出角度は略垂直よりやや後傾している。これにより、使用者側への水滴飛散を抑える効果がある。
【００１９】
図３、４に示すように、ヒーター２０８には電源部２１８から給電を受ける接続端子２２０が突設され、接続端子２２０の全体が、本体箱体１０２の正面視において、ヒーター２０８の左端を通る仮想鉛直線Lと右端を通る仮想鉛直線Rとの間に収まるように形成されている。仮想鉛直線Ｌ又はＲは、本体箱体１０２の正面視において、ヒーター２０８の左端または右端から上下方向に延びる仮想直線である。従来のように左右方向に接続端子２２０を設置していないので、空気流路２１６内に幅広くヒーター２０８を設置することができる。なお実施例では、ヒーター２０８に設けられる接続端子２２０の向きは、ヒーター２０８からファンユニット２０６に向かって突設されているが、これに限定されるものではなく、反対側に向いていてもよい。
【００２０】
接続端子２２０と電源部２１８はケーブル２２２にて電気的に接続されており、ヒーター２０８が電源部２１８から電気の供給を受けるために、接続端子２２０と電源部２１８を繋ぐケーブル２２２が接続端子２２０から延びている。
【００２１】
ヒーター２０８はＰＴＣヒーターであり、図４、５に示すように、電源部２１８から接続端子２２０へ電源が供給され、熱交換フィン２２４を介して、図示しないＰＴＣ素子に電源が供給され発熱する。もちろん、熱交換フィン２２４を介さずに直接ＰＴＣ素子に電源を供給してもよい。なお加熱手段はＰＴＣヒーターのみに限定されるものではない。
【００２２】
熱交換フィン２２４は、ＰＴＣ素子と空気との熱交換を促進させる熱交換部材である。ヒーター２０８はＰＴＣ素子と熱交換フィン２２４によって構成されている。
【００２３】
ＰＴＣ素子は、通電されると速やかに温度が上昇し、温度が所定温度に達すると電気抵抗値が急増して電流を制限し、発熱を抑える自己温度制御機能を持つ正特性サーミスタである。
【００２４】
ヒーター２０８は吹出しノズル２１０と一体成形されたケーシング２２６内に固定されている。空気流路２１６は、ファンユニット２０６を囲むファンユニットケース２０７とケーシング２２６によって形成される。このような構成によって、ヒーター２０８は空気流路２１６に設置されファンユニット２０６から排出された空気流を暖めることができる。
【００２５】
ヒーター２０８は空気流路内２１６の左右方向の幅全域に亘って設けられており、吹出しノズル２１０のほぼ真上に設置されている。ヒーター２０８が空気流路内２１６の幅全域に設置されているので、吹出しノズル２１０から噴出される前に、空気流は確実にヒーター２０８を通り加熱される。よってヒーター２０８によって暖められた空気流を確実に吹出しノズル２１０から噴出し、手に吹きつけることができ、温度ムラを無くすことができる。ヒーター２０８と吹出しノズル２１０の設置距離は、近いほど望ましい。ヒーター２０８と吹出しノズル２１０の距離が遠いと、ヒーター２０８によって暖められた空気流が吹出しノズル２１０に導かれるまでに徐々に冷めてしまい、手に吹出される空気流の温度が低くなってしまう。距離が近いとヒーター２０８によって暖められた空気流が暖かいまま吹出しノズルから噴出されるので、熱エネルギーを無駄にせず、使用者は良好な温風によって手を乾燥できる。
【００２６】
空気流路２１６内の一方側から他方側に亘って設けられているヒーター２０８は、少なくとも吹出しノズル２１０の左右方向の幅全域を覆うように設置され、好ましくは空気流路２１６の端から端までを隙間なく横断するように設置される。
【００２７】
以上説明したように、本発明によれば、手乾燥装置使用時、加熱手段によって挿入された手を温めながら手に付着した水滴等を吹き飛ばすため、吹出しノズルから噴出される空気流の温度ムラを無くすことができ、冬の時期や寒冷地においても、使用者は、快適に手乾燥装置を使用することができる。
【符号の説明】
【００２８】
１００  手乾燥装置
１０２  本体箱体
１０４  表面カバー
１０６  水受けトレイ
１０８  水受け部
１１０  手乾燥室
２００  機能部
２０２  吸込口
２０４  フィルター
２０４ａ  フィルター取っ手
２０６  ファンユニット
２０７  ファンユニットケース
２０８  ヒーター  ２１０  吹出しノズル
２１０a  ノズル孔
２１２  センサー
２１４  制御部
２１６  空気流路
２１８  電源部
２２０  接続端子
２２２  ケーブル
２２４  熱交換フィン
２２６  ケーシング
Ｌ      左端を通る仮想鉛直線
Ｒ      右端を通る仮想鉛直線
【図１】
2014090814.tif 000003
【図２】
2014090814.tif 000004
【図３】
2014090814.tif 000005
【図４】
2014090814.tif 000006
【図５】
2014090814.tif 000007
【図６】
2014090814.tif 000008
【図７】
2014090814.tif 000009